(57)【特許請求の範囲】
【請求項１】
先端を開口した筒状の水栓本体の先端部を下向きに形成するとともに、その先端部内に吐水口と人体検知用のセンサを設けた水栓において、
前記吐水口の周囲に空間を形成するとともに、前記先端部の周壁に前記空間と連通する水抜き口を設け、
前記吐水口をフレーム内に保持し、そのフレームの下部から突出した状態で形成された掛け止め部を、前記水栓本体の内側から前記水抜き口の内縁に掛け止めしたセンサ水栓。
【請求項２】
前記水抜き口を前記周壁の下部に形成した請求項１に記載のセンサ水栓。
【請求項３】
前記吐水口及びセンサの先端を前記水栓本体の先端開口面の部分に設けた請求項１または２に記載のセンサ水栓。
【請求項４】
前記フレームの上部にはセンサケースが設置されており、前記フレームには、前記センサケースを固定するための固定部が設けられている請求項１〜３のいずれか一項に記載のセンサ水栓。
【請求項５】
前記センサケースを前記吐水口及び前記フレームの上部に設けるとともに、センサケースの上部を前記水栓本体の内面に当接させた請求項４に記載のセンサ水栓。
【発明の詳細な説明】
【技術分野】
【０００１】
本発明は、人体等を検出するためのセンサを備え、そのセンサの検出によって吐水動作されるセンサ水栓に関するものである。
【背景技術】
【０００２】
特許文献１には、水栓本体内にセンサが設けられたセンサ水栓が記載されている。
この特許文献１に記載のセンサ水栓は、壁取付けタイプであって、筒状の水栓本体が壁から水平方向に向かって突出されている。水栓本体の周壁における先端下部には孔が形成され、その孔内に給水管の吐水口が配置されるとともに、孔と対向するように水栓本体内にセンサが配置されている。そして、センサによって掌等の人体が検出されることにより、給水管の電磁バルブが開放動作されて、前記吐水口から下方に向かって水が吐出される。
【先行技術文献】
【特許文献】
【０００３】
【特許文献１】特開２０１０−２２９７５５号公報
【発明の概要】
【発明が解決しようとする課題】
【０００４】
前記特許文献１の水栓においては、水栓本体の内面と前記給水管やセンサ等との間に空間が形成されている。そして、吐水動作中に吐水口が掌等で塞がれると、掌と吐水口の周縁との間の隙間から噴出した水が前記空間を通って水栓本体内において壁側に流れ、水栓本体の基端部から壁の内面側に浸入して、壁の裏面側や裏面側の床面等が水浸しになるおそれがある。特に、センサ水栓においては、水栓本体内にセンサの導電線が通されるとともに、壁の裏面側にはセンサや電磁バルブのための制御機器やコネクタ等が装設されるため、壁の裏面側に水が浸入することは好ましくない。
【０００５】
本発明の目的は、水が水栓本体内を同本体の基端側に流れることを防止できるセンサ水栓を提供することにある。
【課題を解決するための手段】
【０００６】
上記の目的を達成するために、本発明においては、筒状をなし、先端部が下方に向かって延長される水栓本体の先端開口部に吐水口と人体検知用のセンサを設けた水栓において、前記吐水口の周囲に隙間を形成するとともに、水栓本体の下方に向かう先端部の周壁に前記隙間と連通する水抜き口を設けたことを特徴とする。
【０００７】
吐水口の先端が掌等で塞がれて、吐水口の先端周縁と掌との間から水が噴出して、その水が水栓本体の先端開口から水栓本体内に流れた場合、その水は水栓本体の水抜き口から水栓本体の外部に流れ落ちる。従って、水が水栓本体の基端側に流れることを抑制できる。
【発明の効果】
【０００８】
本発明によれば、水栓本体の先端部に水抜き口を設けるという簡単な構成により、水が水栓本体の基端側に浸入することを防止できる効果がある。
【図面の簡単な説明】
【０００９】
【図１】実施形態のセンサ水栓を示す斜視図。
【図２】センサ水栓の分解斜視図。
【図３】センサ水栓の取付け状態を示す一部破断側面図。
【図４】センサ水栓の先端を示す正面図。
【図５】図３の５−５線断面図。
【図６】口金の平面部における断面図。
【図７】口金の環状溝の部分における断面図。
【発明を実施するための形態】
【００１０】
以下に、本発明を具体化した実施形態を図面に従って説明する。
図１及び図３に示すように、本実施形態のセンサ水栓１１は壁１０１に取付けられている。すなわち、先端を開口した円筒形の水栓本体１２は長さ方向の中間部において屈曲されて先端側が下向きの傾斜状に形成されている。水栓本体１２の基端部には座金１３が固定されており、この座金１３にはスリーブ部１４と、裏面にパッキン１５を設けたフランジ部１６とが形成されている。前記スリーブ部１４にはブッシュ１７がねじ着されている。そして、前記壁１０１の貫通孔１０２内に前記スリーブ部１４及びブッシュ１７が挿入されるとともに、前記パッキン１５が壁１０１の前面に接した状態で、ブッシュ１７のねじにナット１８がねじ着されている。このナット１８は、当て板２０をワッシャ２０１を介して壁１０１の裏面に圧接させるとともに、前記パッキン１５を壁１０１の前面に圧接させる。このようにして、センサ水栓１１が壁１０１に固定されている。
【００１１】
図１〜図３に示すように、前記水栓本体１２の先端には斜め下方に向かう開口面１２１が形成されている。水栓本体１２の内部には給水管２１が挿通されており、この給水管２１の先端には水栓本体１２の先端部に位置する吐水口２２が接続されている。
【００１２】
前記吐水口２２は、後端のジョイント部２３において前記給水管２１に接続された口金２４と、その口金２４の外周の雄ねじ２５に雌ねじ２６において螺着された接続筒２７と、接続筒２７内において接続筒２７と口金２４との間に位置する整流器２８とが備えられている。接続筒２７の先端には複数の突片３１が等間隔をおいて一体形成され、それらの突片３１の先端が水栓本体１２の先端開口面１２１上に位置している。そして、給水管２１からの水が口金２４を通り、整流器２８で整流されて接続筒２７の先端から吐出される。
【００１３】
図２〜図５に示すように、前記吐水口２２には、その下側からフレーム４１が外嵌されている。口金２４の後端部の両側には平面２９が形成されるとともに、その平面２９の前部側に環状溝３０が形成されている。そして、図６及び図７に示すように、平面２９にフレーム４１の両側の平面部４２が当接するとともに、環状溝３０にフレーム４１の両側の突起４３が嵌合されている。この突起４３は環状溝３０の底部の左右方向の最大径部を上側に乗り越えた位置で環状溝３０の底部を把持している。前記両平面２９と平面部４２との当接及び突起４３による環状溝３０の底部の把持によって口金２４がフレーム４１内に固定されている。
【００１４】
図３及び図５に示すように、水栓本体１２の先端部における周壁１２２の下部には水抜き口１９が透設されており、この水抜き口１９は、水栓本体１２の内面と吐水口２２の周囲との間等の部分の空間１２３に連通している。前記フレーム４１の底部の前後位置には掛け止め部としての掛け止め突条４４が形成されており、この掛け止め突条４４が前記水抜き口１９の内縁に掛け止めされている。この掛け止めにより、フレーム４１が水栓本体１２に固定されている。
【００１５】
図３〜図５に示すように、前記吐水口２２及びフレーム４１の上部において、水栓本体１２の内部には水密構造で、半透明材よりなるセンサケース５１が設置され、その前面が前記開口面１２１に面している。センサケース５１の前端には当接片５２が突設されており、この当接片５２は前記フレーム４１の前側段部４５の前面に当接されている。センサケース５１の下面にはアーム部５３が後方へ向かって突出されており、そのアーム部５３の後端の爪５４がフレーム４１の後側段部４６の後面に掛け止めされている。このため、センサケース５１が前後方向に移動不能に保持されている。両段部４５，４６はセンサケース５１を固定するための固定部を構成している。さらに、センサケース５１は水栓本体１２の上部内面に当接して、水栓本体１２の内面と吐水口２２及びフレーム４１との間で上下方向に移動不能に保持されている。一方、フレーム４１及び口金２４は、センサケース５１によって上方移動が阻止されて、水抜き口１９の内縁と掛け止め突条４４との掛け止め状態が維持されている。
【００１６】
そして、センサケース５１内に設けられた図５に示すセンサ５５がセンサケース５１を透過する赤外線を利用して人体等の物体を検出することにより、図３に示す電磁バルブ６１が開放動作されて、接続筒２７の先端から吐水される。
【００１７】
ところで、本実施形態のセンサ水栓１１を組付けるには、水栓本体１２をナット１８や当て板２０等により壁１０１に取付けるとともに、給水管２１及びセンサ５５の導電線５８を水栓本体１２内に通す。このとき、給水管２１の先端に吐水口２２が接続されるとともに、吐水口２２にフレーム４１が取付けられ、導電線５８の先端にセンサケース５１が設けられている。この状態で、吐水口２２及びフレーム４１を水栓本体１２内に挿入し、フレーム４１の掛け止め突条４４を水抜き口１９の内縁に掛け止めする。次いで、センサケース５１を水栓本体１２の先端開口面１２１から水栓本体１２内に挿入して、アーム部５３をフレーム４１との係合によって撓ませながら爪５４を後側段部４６掛け止めさせる。
【００１８】
このようにすれば、当接片５２が前側段部４５に当接される。このため、センサケース５１が抜け止め状態で固定される。また、吐水口２２の上側にセンサケース５１が位置しているため、フレーム４１の掛け止め突条４４が水抜き口１９から外れることはない。従って、吐水口２２及びフレーム４１と、センサケース５１とが相互に移動不能に保持し合った状態で水栓本体１２内に固定される。
【００１９】
次に、以上のように構成されたセンサ水栓の作用を説明する。
水を吐出させるためには、掌等の人体をセンサケース５１に近づけるだけでよい。このようにすれば、センサ５５の検出動作によって、電磁バルブ６１が開放状態に切換えられて、整流器２８の先端から吐水される。
【００２０】
この状態で、例えば、掌で吐水口２２の先端を塞いだ場合は、吐水口２２からの水が接続筒２７の先端の突起４３間の間隙から噴出して、水栓本体１２内の水栓本体１２の内面と吐水口２２との間の空間内に流入する。このとき、水抜き口１９が下向きに傾斜する水栓本体１２の先端下部に設けられているため、この流入した水は、図５に矢印で示すように、ただちに水抜き口１９から下方に排出される。従って、水が水栓本体１２の基端側に達したり、センサケース５１が水没したりすることを防止できる。
【００２１】
従って、本実施形態においては、以下の効果がある。
（１）水栓本体１２を下向きに形成するとともに、水栓本体１２の下方に向かう先端下部に水栓本体１２内の空間１２３と連通する水抜き口１９を設けたことにより、水栓本体１２の開口面１２１側から前記空間１２３内に水が流入したとしても、その水は水抜き口１９からただちに下方へ排出される。従って、水が水栓本体１２の基端側に達することはなく、よって、水が壁１０１の裏面側に浸入することを防止できる。しかも、そのための構成は水抜き口１９を設けただけであるから、部品点数が増えることはなく、構成が簡単である。
【００２２】
（２）前記水抜き口１９が前記水栓本体１２の先端下部に設けられているため、水が円滑に排出される。
（３）前記吐水口２２及びセンサケース５１の前端が水栓本体１２の先端開口面１２１に設けられているため、吐水口２２及びセンサケース５１が水栓本体１２から突出することなく、外観を良好にできる一方、センサ５５が掌等を適切に検出できるとともに、使いやすいものにできる。
【００２３】
（４）吐水口２２をフレーム４１内に保持し、そのフレーム４１に突出された掛け止め突条４４を水抜き口１９の内縁に掛け止めした。従って、水抜き口１９を利用してフレーム４１及びそのフレーム４１に支持された吐水口２２、そしてセンサケース５１を保持できるため、それらの部材を保持するための部品が不要になり、構成が簡単になる。
【００２４】
（５）フレーム４１には、センサケース５１を固定するための段部４５，４６が設けられている。従って、フレーム４１を利用してセンサケース５１を固定できるため、構成を簡単にできる。しかも、センサケース５１は、水栓本体１２の内面と吐水口２２及びフレーム４１との間において保持されるため、センサケース５１と吐水口２２及びフレーム４１とが相互に保持し合い、従って、それらを保持するための専用の構成が不要になる。
【００２５】
なお、本発明は前記実施形態に限定されるものではなく、以下のような態様で具体化することもできる。
・本発明を、流し台や洗面台に設置され、先端部が下向きになった逆Ｕ字型の水栓において具体化すること。
【００２６】
・人体等を検出するセンサを水栓本体１２の外側に設けること。
・水抜き口１９を水栓本体１２の先端部周壁の側部に設けること。
・掛け止め突条４４をピン状等の他の形状にすること。
【００２７】
・フレーム４１を省略すること。この場合、吐水口２２を水抜き口１９の内縁に固定するための突条や突起は口金２４及び接続筒２７のうちの少なくとも一方に形成される。
【符号の説明】
【００２８】
１１…センサ水栓、１２…水栓本体、２１…給水管、２２…吐水口、４１…フレーム、４５…水抜き口、５１…センサケース、１２１…開口面、１２３…空間。
【図１】
0006560895.tif 000002
【図２】
0006560895.tif 000003
【図３】
0006560895.tif 000004
【図４】
0006560895.tif 000005
【図５】
0006560895.tif 000006
【図６】
0006560895.tif 000007
【図７】
0006560895.tif 000008